(57)【特許請求の範囲】
【請求項１】
セット部材と、そのセット部材に開閉可能に設けられたカバー部材とを備え、遊技機における制御基板を収容可能に構成した、遊技機の基板ボックスであって、
前記セット部材と前記カバー部材には、相互に封印状態に結合される各連結部が設けられ、
前記セット部材と前記カバー部材のうち少なくとも一方の部材には、切断工具によって切断可能な開封部を介して前記連結部が設けられ、
前記セット部材と前記カバー部材のうち少なくとも一方の部材には、前記封印状態における前記開封部のみを前記切断工具による切断から保護するガード部が設けられ、
前記ガード部は、前記切断工具によって切断可能でかつその切断によって前記開封部が切断可能に形成されている、ことを特徴とする遊技機の基板ボックス。
【発明の詳細な説明】
【０００１】
【発明の属する技術分野】
本発明は、パチンコ機、アレンジボール機、雀球機、スロットルマシン等の遊技機の基板ボックスに関する。
【０００２】
【従来の技術】
例えば、遊技ホール等に設置されているパチンコ機等の遊技機には、電子部品が実装された制御基板（回路基板とも呼ばれる）を収容した「基板ボックス」が設けられている。この種の基板ボックスでは、その内部の電子部品、例えばＲＯＭが不正に交換されたり、そのＲＯＭに記憶された内容が不正に書き換えられたりする等の不正行為を防止するための封印手段が設けられている。
【０００３】
次に、封印手段が設けられた基板ボックスの従来例を図面を参照して述べる。図１５は基板ボックスの封印手段を示す正面図、図１６は図１５のＸＶＩ−ＸＶＩ線断面図、図１７は図１５のＸＶＩＩ−ＸＶＩＩ線断面図である。図１６および図１７に示すように、基板ボックス１１８は、セット部材１２０と、そのセット部材１２０に開閉可能に設けられたカバー部材１３０とを備えている。セット部材１２０とカバー部材１３０によって形成される内部空間には、ＲＯＭ、トランジスタ等の電子部品が実装された制御基板が収容されている。
【０００４】
図１６に示すように、セット部材１２０とカバー部材１３０との間には、そのセット部材１２０に対しカバー部材１３０を閉じた状態に封印するための封印手段１４０が設けられている。封印手段１４０は、セット部材１２０側（セット側と略す）の連結部１２４とカバー部材１３０側（カバー側と略す）の連結部１３４とかしめ部材１４２と封印ねじ１４３とを備えている。セット側の連結部１２４は、前記セット部材１２０に対しアーム状の開封部（セット側の開封部という）１２２を介して一体状に連設されている。カバー側の連結部１３４は、前記カバー部材１３０に対しアーム状の開封部（カバー側の開封部という）１３２を介して一体状に連設されている（図１５参照）。セット側の連結部１２４とカバー側の連結部１３４とは、セット部材１２０にカバー部材１３０を閉じた状態において前後方向に延びる軸線Ｌ（図１６参照）上に並んでいる。
【０００５】
図１６に示すように、前記かしめ部材１４２は、前記カバー側の連結部１３４内に挿入されて回り止めされた状態に配置されている。かしめ部材１４２の先端部１４２ａは、セット側の連結部１２４内に突出されている。また、前記封印ねじ１４３は、一方向ねじ（ワンウエイねじとも呼ばれている）からなり、前記カバー部材１３０側の連結部１３４側より前記かしめ部材１４２にねじ込まれている。封印ねじ１４３のねじ込みによって、かしめ部材１４２の先端部１４２ａが押し広げられてセット側の連結部１２４にかしめつけられている。これにより、セット部材１２０にカバー部材１３０が閉じた状態に固定すなわち封印されている。
【０００６】
ところで、前記基板ボックス１１８内の検査等の場合には、例えば、セット側の開封部１２２およびカバー側の開封部１３２を、ニッパーやカッター等の切断工具１４６（図１７参照）によって切断する。これにより、前記封印が解かれるすなわち開封されることによって、カバー部材１３０を開くことができる。また、基板ボックス１１８から各連結部１２４，１３４が切り離されることによって、開封部１２２，１３２が切断により開封されたことを、目視によって確認することができる。
【０００７】
【発明が解決しようとする課題】
上記した遊技機の基板ボックス１１８では、図１７に示すように、セット側の開封部１２２とカバー側の開封部１３２とが断面ほぼ長四角形状の平板状にそれぞれ形成されている。そして、封印状態において、各開封部１２２，１３２は、断面ほぼ長四角形状における長手方向が各連結部１２４，１３４の結合方向すなわち前後方向に一連状いわゆる直列状に並んでいる。したがって、各連結部１２４，１３４（図１６参照）の結合方向すなわち前後方向の延長線ＬＥ（図１７参照）上の例えば前方からは、カバー側の開封部１３２は目視すなわち検査等の作業者の目Ｍで見ることができるが、セット側の開封部１２２はカバー側の開封部１３２の後方に隠れて見えない（図１５参照）。このため、セット側の開封部１２２のみを切断工具１４６によって切断することによって、その切断の痕跡がわかりにくく、不正の事実が発見されにくい状態で、基板ボックス１１８が不正に開封されてしまうおそれがあった。
【０００８】
本発明が解決しようとする課題は、不正な開封を抑制することのできる遊技機の基板ボックスを提供することにある。
【０００９】
【課題を解決するための手段】
前記課題は、本発明の特許請求の範囲の欄に記載された構成を要旨とする遊技機の基板ボックスにより解決することができる。すなわち、特許請求の範囲の請求項１に記載された遊技機の基板ボックスによると、セット部材にカバー部材が閉じられ、遊技機における制御基板が収容される。そして、セット部材とカバー部材に設けられた各連結部は、相互に封印状態に結合される。ところで、前記封印状態においては、開封部がガード部によって切断工具による切断から保護される。このため、開封部を容易に切断することがむつかしいことによって、不正な開封を抑制することができる。
【００１０】
また、ガード部が切断工具によって切断され、開封部が切断された場合には、そのガード部の切断の痕跡を目視によって容易に発見することができる。これにより、不正な開封を抑制することができる。また、前記封印を解くすなわち開封する場合には、ガード部を切断工具で切断した後、開封部を切断工具によって切断すればよい。
【００１１】
【００１２】
【００１３】
【００１４】
【発明の実施の形態】
［実施の形態１］
本発明の実施の形態１を説明する。本実施の形態では、遊技機の一つであるパチンコ機に本発明を適用したものを例示する。まず、基板ボックスの説明に先だって、パチンコ機の基本的な構成を述べる。なお、パチンコ機の基本的な構成は、周知のパチンコ機とほとんど同様であるから簡単に述べるにとどめる。図１はパチンコ機を後方側から見た斜視図である。また、パチンコ機の方位は、図１に矢印で示すように定める。
【００１５】
図１において、パチンコ機１は、外枠体２と前枠４と遊技盤ユニット１６を備えている。外枠体２は、ほぼ矩形枠状に形成されている。前枠４は、ほぼ額縁状に形成されており、外枠体２の前面側（正面側という）にヒンジ機構３によって開閉可能に設けられている。前枠４の後面側（背面側という）には、ほぼ矩形枠状の支持枠６が設けられている。
【００１６】
前記遊技盤ユニット１６は、前記支持枠６に対しその後面側から取外し可能に嵌込まれた後、裏セット部材８によって固定されている。裏セット部材８は、前記前枠４の後面側にヒンジ機構（図示省略）によって開閉可能に設けられている。
裏セット部材８の開閉側端部は、支持枠６に設けられた複数の留め具７によって閉じた状態に保持される。遊技盤ユニット１６は、その前面側に遊技盤（図示省略）を備えている。遊技盤の前面側には、図示しないが、球案内レール、遊技構成部材としての各種の入賞装置、役物装置、図柄表示装置、アタッカ装置、ゲート口、風車器、誘導釘等が配設されている。
【００１７】
前記裏セット部材８の後面側には、球タンク９、タンクレール１０、球払出装置１２、電源基板ボックス１４等が設けられている。電源基板ボックス１４内には、図示しないが、外部電源を所要の電圧に調整するための電子部品が実装された電源基板が収容されている。
【００１８】
前記前枠４の前面側には、図示しないが、遊技盤の遊技領域を透視可能とする透視板を有する表枠５が設けられている。また、前枠４の前面側には、上皿を有する下板、下皿等が設けられている。なお、前枠４の下端部には、球発射用の発射ハンドル装置１３が設けられている。
【００１９】
前記遊技盤ユニット１６の後面側には、裏カバー体１５が設けられている。裏カバー体１５の後面側には、主基板ボックス１８と副基板ボックス１９が設けられている。各基板ボックス１８，１９には、それぞれ所要の電子部品が実装された制御基板（図示省略）が収容されている。
【００２０】
次に、封印手段（後述する）を備えた主基板ボックス１８について詳述する。主基板ボックス１８は、本発明が対象とする基板ボックスに相当しているため、単に「基板ボックス」ともいう。図２は基板ボックスを示す斜視図である。なお、説明の都合上、基板ボックス１８の方位は、図２に矢印で示すように定める。このため、基板ボックス１８の前後左右は、パチンコ機１（図１参照）の前後左右とは逆向きになっている。
【００２１】
図２に示すように、基板ボックス１８は、セット部材２０と、そのセット部材２０にヒンジ手段（図示省略）によって開閉可能に設けられたカバー部材３０とを備えた薄型のボックス状に形成されている。本実施の形態の場合、セット部材２０には、カバー部材３０が右側部に設けられたヒンジ手段（図示省略）によって、カバー部材３０の左側部を開閉側端部として開閉可能にかつ脱着可能に設けられている。なお、図３は基板ボックスを閉じた状態で示す左側面図、図４はセット部材とカバー部材とを分解した状態で示す左側面図である。
【００２２】
前記基板ボックス１８（図２参照）内には、遊技機（図１参照）における制御基板（図示省略）が収容されている。セット部材２０およびカバー部材３０は、合成樹脂成形品によって形成されている。なお、基板ボックス１８は、前記裏カバー体１５（図１参照）に取外し可能に設けられている。また、図示しないが、制御回路の前面側には、前記遊技盤（図示省略）に配設された入賞装置、役物装置、図柄表示装置、アタッカ装置等の作動を制御するための回路素子いわゆる電子部品が実装されている。
【００２３】
図２および図３に示すように、前記セット部材２０と前記カバー部材３０との間には、そのセット部材２０に対しカバー部材３０を閉じた状態に封印するための封印手段４０が設けられている。
封印手段４０は、基板ボックス１８の左側部に配置されている。図５は基板ボックスの封印手段を示す正面図、図６は図５のＶＩ−ＶＩ線断面図、図７は図５のＶＩＩ−ＶＩＩ線断面図、図８は図５のＶＩＩＩ−ＶＩＩＩ線断面図、図９は封印手段の未封印状態を示す図６に準じる断面図、図１０は封印手段の未封印状態を示す図７に準じる断面図である。
【００２４】
図９および図１０に示すように、前記封印手段４０は、セット部材２０側（セット側と略す）の連結部２４とカバー部材３０側（カバー側と略す）の連結部３４とかしめ部材４２と封印ねじ４３とを備えている。セット側の連結部２４は、ほぼ筒形状に形成されており、前記セット部材２０の外側面に対し、アーム状の開封部（セット側の開封部という）２２を介して連設されている（図８参照）。セット側の連結部２４は、セット部材２０に一体成形によって形成されている。
【００２５】
図９および図１０に示すように、前記カバー側の連結部３４は、ほぼ筒形状に形成されており、前記カバー部材３０の外側面に対し、アーム状の開封部（カバー側の開封部という）３２を介して連設されている（図８参照）。カバー側の連結部３４は、カバー部材３０に一体成形によって形成されている。セット側の連結部２４とカバー側の連結部３４とは、セット部材２０にカバー部材３０を閉じた状態において、前後方向に延びる軸線Ｌ１（図９および図１０参照）上に並んでいる。すなわち、セット側の連結部２４の前側にカバー側の連結部３４が並んでいる。
【００２６】
また、図８に示すように、セット側の開封部２２とカバー側の開封部３２とは、それぞれ断面ほぼ長四角形状の平板状に形成されている。両開封部２２，３２は、封印状態において、断面における長手方向が前後方向（図８において左右方向）に延びる直列状態をなしている。また、カバー側の開封部３２の前端面３２Ａは、前記各連結部２４，３４の結合方向の前方に露出されている。したがって、カバー側の開封部３２の前端面３２Ａは、前後方向の延長線ＬＥ上の例えば基板ボックス１８の前方から目視すなわち検査等の作業者の目Ｍで見ることができる（図８参照）。また、セット側の開封部２２の後端面２２Ｂは、前記各連結部２４，３４の結合方向の後方に露出されている。したがって、セット側の開封部２２の後端面２２Ｂは、基板ボックス１８を裏カバー体１５（図１参照）から取外した状態において基板ボックス１８の後方から目視することができる。
【００２７】
図９および図１０に示すように、前記かしめ部材４２は、中空のリベット状に形成されており、カバー側の連結部３４内に挿入されて回り止めされた状態に配置されている。かしめ部材４２の先端部４２ａは、セット側の連結部２４内に突出されているとともに、その内径を小さい口径とする絞り部４２ｂを有している。かしめ部材４２は、塑性変形可能な金属材料によって形成されている。
【００２８】
前記封印ねじ４３は、一方向ねじ（ワンウエイねじとも呼ばれている）からなり、前記カバー側の連結部３４側より前記かしめ部材４２内にねじ込まれている。封印ねじ４３は、締付け方向に関してはドライバー等の締付け工具４５（図６参照）によりねじ込むことができるが、緩め方向に関しては緩めることができない構成のねじである。
【００２９】
すなわち、前記封印ねじ４３が、図９および図１０の状態から図６および図７に示すように、ドライバー等の締付け工具４５（図６参照）によりかしめ部材４２内にねじ込まれる。この封印ねじ４３のねじ込みによって、かしめ部材４２の絞り部４２ｂが押し広げられることにより、該かしめ部材４２の先端部４２ａが外径を大きくする方向へ塑性変形され、セット側の連結部２４にかしめつけられる。これによって、セット部材２０にカバー部材３０が閉じた状態に固定すなわち封印されている。なお、各連結部２４，３４の軸線Ｌ１方向（図６および図７参照）すなわち前後方向が、本明細書でいう「各連結部の結合方向」に相当する。
【００３０】
しかして、前記カバー部材３０には、封印状態において、前記セット側の開封部２２およびカバー側の開封部３２を、ニッパーやカッター等の切断工具による切断から保護する上下一対のガード部３６が設けられている（図３、図５および図８参照）。図７および図８に示すように、両ガード部３６は、カバー部材３０の左側面にほぼ突片状に一体形成されている。両ガード部３６は、前記封印状態の封印手段４０を間にして上下対称状をなしかつ相互に平行状をなすほぼ四角形板状に形成されている。また、前記カバー部材３０は、前記セット部材２０に対し嵌まり込む状態で閉じられる（図３参照）。このため、セット部材２０の左側壁には、前記両ガード部３６を受け入れるためのほぼＵ字状の上下の受け入れ溝２７が形成されている（図４参照）。
【００３１】
図７および図８に示すように、前記両ガード部３６の前端面３６Ａは、前記各連結部２４，３４の結合方向の前方に露出されている。したがって、両ガード部３６の前端面３６Ａは、前後方向の延長線ＬＥ上の例えば基板ボックス１８の前方から目視すなわち検査等の作業者の目Ｍで見ることができる（図８参照）。また、両ガード部３６の後端面３６Ｂは、前記各連結部２４，３４の結合方向の後方に露出されている。したがって、両ガード部３６の後端面３６Ｂは、基板ボックス１８を裏カバー体１５（図１参照）から取外した状態で基板ボックス１８の後方から目視することができる。
【００３２】
図５に示すように、前記両ガード部３６の突出高さ３６ｈは、前記両連結部２４，３４（図６参照）の突出高さより若干低い程度に設定されている。図８に示すように、両ガード部３６の前端面３６Ａは前記カバー側の開封部３２の前端面３２Ａとほぼ同一平面上に形成されている。また、両ガード部３６の後端面３６Ｂは前記セット側の開封部２２の後端面２２Ｂとほぼ同一平面上に形成されている。
【００３３】
図８に示すように、前記両ガード部３６の肉厚いわゆる板厚３６ｔは、前記両開封部２２，３２の板厚ｔより大きく形成されている。例えば、両ガード部３６の板厚３６ｔは、両開封部２２，３２の板厚ｔの約２倍に設定されている。これによって、両開封部２２，３２の切断強度Ｓ１と、ガード部３６の切断強度Ｓ２とは、
Ｓ１＜Ｓ２
の関係を満たすように設定されている。
【００３４】
また、前記両ガード部３６の板厚３６ｔ（図８参照）は、ニッパーやカッター等の切断工具によって切断可能な板厚である。なお、図５に示すように、両ガード部３６の前半部における基端部３６ａは、板    厚３６ｔ（図８参照）よりも所定量大きい板厚で形成されている。
【００３５】
図８に示すように、前記両ガード部３６と両開封部２２，３２との間にそれぞれ形成される空間部（符号、Ｓを付す）は、ニッパーやカッター等の切断工具（詳しくは、刃先）４６を差し入れることができない大きさとなっている。すなわち、切断工具４６の刃先を空間部Ｓに前面側あるいは後面側から差し入れることによる各開封部２２，３２の切断を不可能にしている。なお、空間部Ｓは、各開封部２２，３２を全面的あるいは部分的に不可能にする大きさであればよい。
【００３６】
図５に示される前記上側のガード部３６は、その基端部３６ａ寄りの位置における切断によって除去されることによって、前記両開封部２２，３２の上方を開放し、該開封部２２，３２の保護を解放する。また、前記下側のガード部３６は、その基端部３６ａ寄りの位置における切断によって除去されることによって、前記両開封部２２，３２の下方を開放し、該開封部２２，３２の保護を解放する。
【００３７】
上記した遊技機の基板ボックス１８によると、セット部材２０にカバー部材３０が閉じられ、遊技機における制御基板が収容される（図１〜図３参照）。そして、セット部材２０とカバー部材３０にそれぞれ各開封部２２，３２を介して設けられた各連結部２４，３４は、かしめ部材４２に対する封印ねじ４３のねじ込みによって、所定の結合方向すなわち前後方向に関し封印状態に結合される（図６および図７参照）。
【００３８】
また、基板ボックス１８内の検査等に際し封印を解くすなわち開封する場合には、まず、両ガード部３６をその基端部３６ａ寄りの位置においてニッパーやカッター等の切断工具４６（図８中、二点鎖線４６参照）で切断する。例えば、図５に二点鎖線で示す仮想線Ｌａにそって両ガード部３６を切断する。これにより、両ガード部３６が切り離されるため、両開封部２２，３２の保護が解放される。その後、セット側の開封部２２およびカバー側の開封部３２を、例えば前記切断工具４６で切断する。これによって、封印手段４０の封印を開封することができ、カバー部材３０を開閉することができる。このときの開封状態は、各連結部２４，３４が基板ボックス１８から切り離されるため、目視によって容易に発見することができる。
【００３９】
なお、前記開封に際しては、両開封部２２，３２のうち少なくとも一方の開封部を切断すれば、封印手段４０を開封することができる。また、両ガード部３６のうち少なくとも一方のガード部を切断すれば、両開封部２２、３２の保護を解放することができる。また、例えば、両ガード部３６と両開封部２２、３２を同時に切断することもできる。
【００４０】
ところで、前記封印状態においては、両開封部２２、３２がガード部３６によって、ニッパー、カッター等の切断工具４６による切断から保護される。このため、少なくとも一方の開封部２２、３２を容易に切断することがむつかしい。また、少なくとも一方のガード部３６が切断工具４６によって切断され、両開封部２２、３２の保護が解放された場合には、そのガード部３６の切断の痕跡を目視によって容易に発見することができる。
【００４１】
上記したように、各ガード部３６によって保護された各開封部２２、３２を切断することがむつかしいことによって、不正な開封を抑制することができる。
【００４２】
また、各開封部２２，３２の保護が解放された場合には、各ガード部３６の切断の痕跡を目視によって容易に発見することができることにより、不正な開封を抑制することができる。
【００４３】
また、両連結部２４，３４の結合方向の延長線ＬＥ（図８参照）上の基板ボックス１８の前方および後方からの目視により、各開封部２２，３２および／またはガード部３６の異状、例えば各開封部２２，３２および／またはガード部３６が切断された痕跡を容易に発見することができる。
【００４４】
また、各ガード部３６は各開封部２２，３２に比べて切断しにくく、両開封部２２、３２の保護に優れている。また、各開封部２２，３２は、各ガード部３６の切断後において容易に開封することができる。
【００４５】
［実施の形態２］
本発明の実施の形態２を説明する。実施の形態２は、上記した実施の形態１の一部すなわち封印手段４０の開封部に変更を加えたものであるからその変更部分について詳述し、重複する説明は省略する。図１１は基板ボックスの封印手段４０を示す斜視図、図１２は同じく正面図、図１３は図１２のＸＩＩＩ−ＸＩＩＩ線断面図、図１４は図１２のＸＩＶ−ＸＩＶ線断面図である。
【００４６】
図１１および図１２に示すように、カバー部材３０には、カバー側の開封部（符号、２３２を付す）が前方に開口する開口端面２３２ａ（図１３および図１４参照）を有するほぼ箱状に形成されている。カバー側の開封部２３２は、封印状態において、前記セット側の開封部２２２に対し開口端面２３２ａを中心として対称状をなすように形成されている。詳しくは、図１２に示すように、カバー側の開封部２３２は、中央壁２３２Ａと上側壁２３２Ｂと下側壁２３２Ｃと前側壁２３２Ｄとを備えている。以下、順に説明する。図１４に示すように、カバー側の開封部２３２の中央壁２３２Ａは、前記実施の形態１におけるカバー側の開封部３２（図５参照）とほぼ同様に形成されている。
【００４７】
図１２および図１４に示すように、前記カバー側の開封部２３２の上側壁２３２Ｂと下側壁２３２Ｃは、中央壁２３２Ａを間にして上下に所定間隔を隔てて上下対称状に形成されている。上側壁２３２Ｂと下側壁２３２Ｃは、それぞれ断面ほぼ長四角形状の平板状に形成されており、前記カバー部材３０の左側面と前記カバー側の連結部３４との間に架設されている。上側壁２３２Ｂの連結部側の端部は、下方へ折り曲げられることにより前記カバー側の連結部３４の上側面に接続されている（図１２参照）。下側壁２３２Ｃの連結部側の端部は、上方へ折り曲げられることにより前記カバー側の連結部３４の下側面に接続されている（図１２参照）。
【００４８】
図１３および図１４に示すように、前記中央壁２３２Ａと前記上側壁２３２Ｂとの間、および、中央壁２３２Ａと下側壁２３２Ｃとの間には、それぞれ中空部２３２Ｅが形成されている。なお、図１２に示すように、上側壁２３２Ｂの基端部（カバー部材側の端部）の上側部は、前記上側のガード部３６の基端部３６ａの下側部と一連状をなしている。また、下側壁２３２Ｃの基端部（カバー部材側の端部）の下側部は、前記下側のガード部３６の基端部３６ａの上側部と一連状をなしている。
【００４９】
図１３および図１４に示すように、前記カバー側の開封部２３２の前側壁２３２Ｄは、平板状に形成されており、前記両中空部２３２Ｅの前方に開口する開口端面を塞いでいる。
【００５０】
また、セット側の開封部（符号、２２２を付す）は、図１３および図１４に示すように、前方に開口する開口端面２２２ａを有するほぼ箱状に形成されている。セット側の開封部２２２は、封印状態において、前記カバー側の開封部２３２に対し開口端面２２２ａ，２３２ａを中心として対称状をなすように形成されている。したがって、セット側の開封部２２２は、前記カバー側の開封部２３２と同様に、中央壁２２２Ａと上側壁２２２Ｂと下側壁２２２Ｃと後側壁２２２Ｄとを備えている。また、中央壁２２２Ａと上側壁２２２Ｂとの間、および、中央壁２２２Ａと下側壁２２２Ｃとの間には、それぞれ中空部２２２Ｅが形成されている。また、後側壁２２２Ｄは、平板状に形成されており、前記両中空部２２２Ｅの後方に開口する開口端面を塞いでいる。
【００５１】
図１３および図１４に示すように、前記セット側の開封部２２２の開口端面２２２ａと前記カバー側の開封部２３２の開口端面２３２ａとは、封印時にセット部材２０にカバー部材３０を閉じることによって面接触状に突き合わされる。このとき、セット側の開封部２２２とカバー側の開封部２３２における中央壁２２２Ａと２３２Ａ、上側壁２２２Ｂと２３２Ｂ、下側壁２２２Ｃと２３２Ｃとが、それぞれ前後方向に一連状に並ぶ。これによって、セット側の開封部２２２の開口端面２２２ａがカバー部材３０（詳しくは、カバー側の開封部２３２）によって閉止されるとともに、カバー側の開封部２３２の開口端面２３２ａがセット部材２０（詳しくは、セット側の開封部２２２）によって閉止される。
【００５２】
また、図１２〜図１４に示すように、両ガード部３６と両開封部２２２，２３２との間にそれぞれ形成される空間部Ｓは、前記実施の形態１と同様に、ニッパーやカッター等の切断工具（詳しくは、刃先）を差し入れることができない大きさとなっている。
【００５３】
上記した実施の形態２の遊技機の基板ボックス１８によっても、前記実施の形態１とほぼ同様の作用効果を得ることができる。また、両開封部２２２，２３２の開口端面２２２ａ，２３２ａが、封印時に、それぞれ他方の部材の各開封部２３２，２２２によって閉止される（図１３および図１４参照）。これにより、両開封部２２２、２３２を開口端面２２２ａ，２３２ａ側から切断することがむつかしくなるとともに、両開封部２２２、２３２の切断距離が長いため、その開封部２２２，２３２の切断の痕跡が明確になる。
【００５４】
本発明は上記した実施の形態に限定されるものではなく、本発明の要旨を逸脱しない範囲における変更が可能である。例えば、本発明は、主基板ボックス１８に限らず、副基板ボックス１９、その他の基板ボックスにも適用することができる。
また、前記した実施の形態においては、遊技機がパチンコ機１である場合を例示したが、これに限定するものではなく、例えば、アレンジボール機、雀球機、スロットマシン等の遊技機に対しても適用することができる。また、封印手段４０は、セット側の連結部２４とカバー側の連結部３４とを封印可能であればよく、前記実施の形態の封印ねじ４３を利用するものに限定されるものではない。
【００５５】
また、セット側の開封部２２，２２２とカバー側の開封部３２，２３２のどちらか一方の開封部は、省略することができる。また、ガード部３６はセット部材２０に設けることができる。また、ガード部３６の形状、個数等は、適宜変更することができる。また、ガード部３６の肉厚は、適宜選定することができる。また、封印手段４０は、複数設けることによって、封印回数を増加することができる。また、ガード部３６には、鉄、ステンレス等の金属製の補強材をインサート成形や接着等の固着手段等によって一体化することができる。また、ガード部３６は、カバー部材３０および／またはセット部材２０とは異なる素材によって形成することができる。また、カバー部材３０および／またはセット部材２０とは異なる素材によって形成されたガード部３６は、カバー部材３０および／またはセット部材２０にインサート成形や接着等の固着手段等によって一体化することができる。
【００５６】
【発明の効果】
以上、詳述したように、本発明によれば、ガード部によって保護された開封部を切断することがむつかしいことによって、不正な開封を抑制することができる。
【図面の簡単な説明】
【図１】  本発明の実施の形態１にかかるパチンコ機を後方側から見た斜視図である。
【図２】  基板ボックスを示す斜視図である。
【図３】  基板ボックスを閉じた状態で示す左側面図である。
【図４】  セット部材とカバー部材とを分解した状態で示す左側面図である。
【図５】  基板ボックスの封印手段を示す正面図である。
【図６】  図５のＶＩ−ＶＩ線断面図である。
【図７】  図５のＶＩＩ−ＶＩＩ線断面図である。
【図８】  図５のＶＩＩＩ−ＶＩＩＩ線断面図である。
【図９】  封印手段の未封印状態を示す図６に準じる断面図である。
【図１０】  封印手段の未封印状態を示す図７に準じる断面図である。
【図１１】  本発明の実施の形態２にかかる基板ボックスの封印手段を示す斜視図である。
【図１２】  基板ボックスの封印手段を示す正面図である。
【図１３】  図１２のＸＩＩＩ−ＸＩＩＩ線断面図である。
【図１４】  図１２のＸＩＶ−ＸＩＶ線断面図である。
【図１５】  従来の技術にかかる基板ボックスの封印手段を示す正面図である。
【図１６】  図１５のＸＶＩ−ＸＶＩ線断面図である。
【図１７】  図１５のＸＶＩＩ−ＸＶＩＩ線断面図である。
【符号の説明】
１  パチンコ機（遊技機）
１８  基板ボックス
２０  セット部材
２２  セット側の開封部
２４  セット側の連結部
３０  カバー部材
３２  カバー側の開封部
３４  カバー側の連結部
３６  ガード部
２２２  セット側の開封部
２２２ａ  開口端面
２３２  カバー側の開封部
２３２ａ  開口端面
【図１】
0004092427.tif 000002
【図２】
0004092427.tif 000003
【図３】
0004092427.tif 000004
【図４】
0004092427.tif 000005
【図５】
0004092427.tif 000006
【図６】
0004092427.tif 000007
【図７】
0004092427.tif 000008
【図８】
0004092427.tif 000009
【図９】
0004092427.tif 000010
【図１０】
0004092427.tif 000011
【図１１】
0004092427.tif 000012
【図１２】
0004092427.tif 000013
【図１３】
0004092427.tif 000014
【図１４】
0004092427.tif 000015
【図１５】
0004092427.tif 000016
【図１６】
0004092427.tif 000017
【図１７】
0004092427.tif 000018